(57)【要約】【課題】複数の加工工具を固定したタレットに、各々の加工工具に、加工中の加工工具のみに空気や切削油等の流体を噴射できる流体供給装置を、簡単な構造で安価に装備できるようにする。【解決手段】流体供給装置を、ノズル、装置本体部、流体供給源部、供給パイプおよび中継パイプとで構成する。装置本体部を、周側面に内外を貫通した複数の供給口を有した円筒状のハウジング内に、ハウジングの供給口を有した部分の内壁面に当接する当接面を有した当接部と、一方の端部にハウジングより外方に露出する小径軸部とで構成される内部軸体を、ハウジングに対して回転可能に挿着する。内部軸体の内部に、前記供給口の各々に連通可能な流体導出孔を設ける。ハウジングより露出した小径軸部に、内部軸体がハウジングの回転に連動して回転をすることのないように回転抑制手段を付設する。【選択図】図４
2009107054.tif 000002
【特許請求の範囲】
【請求項１】
複数の加工工具を固定したタレットの各々の加工工具の近傍に固定する、加工中の被加工材の加工切屑を除去するための空気や加工時の冷却や摩擦抑制のための切削油等の流体を噴射するためのノズルと、
タレットに装着するための固定台座に、周側面に内外を貫通した前記加工工具と少なくとも同数以上の供給口を有した円筒状のハウジングを固定し、該ハウジング内に、少なくともハウジングの供給口を有した部分の内壁面に当接する当接面を有し、該当接面に内壁面と当接面から流体が漏れないようにシール材を配した当接部と、一方の端部にハウジングより外方に露出する小径軸部とを有し、該露出する小径軸部の端面に設けた流体供給源部と接続する中継パイプを接続するための受給口に一方を連通し、他方をハウジングに設けた供給口の各々に連通可能な当接部の周側面に開口した流体導出孔を１つ内部に設けた内部軸体を、小径軸部をハウジングより外方に露出して、ハウジングに対して回転可能に挿着し、ハウジングより露出した小径軸部に、内部軸体がハウジングの回転に連動して回転をすることのないように回転抑制手段を付設してなる装置本体部と、
流体供給源部と、
該流体供給源部と前記内部軸体の受給口とを接続する供給パイプと、
前記各々のノズルとハウジングの各々の供給口とを接続する中継パイプとで構成し、
タレットの回転にともないハウジングは回転するが、内部軸体は回転せずにハウジングの供給口を有した内壁面と内部軸体の当接部の当接面が回転方向に摺動し、
被加工材に加工しようとする加工工具の近傍に固定したノズルに接続した接続パイプと接続したハウジングの供給口のみが内部軸体の流体導出孔と連通して流体を噴射可能としたことを特徴とする、タレットへの流体供給装置。
【請求項２】
前記回転抑制手段が、内部軸体に吊下げた錘により構成されていることを特徴とする、請求項１に記載のタレットへの流体供給装置。
【請求項３】
前記ノズルに接続した接続パイプに、ノズルからの流体の噴射量を調整可能な調整手段を介在したことを特徴とする、請求項１または２に記載のタレットへの流体供給装置。
【発明の詳細な説明】
【技術分野】
【０００１】
本発明は、複数の加工工具を固定したタレットの各々の加工工具に空気や切削油等の流体を噴射するための、タレットへの流体供給装置に関する。
【背景技術】
【０００２】
ドリルやバイト等の加工工具で被加工材に加工する旋盤等の装置においては、被加工材の加工切屑を除去するために空気を噴射したり、あるいは加工の際の切削油を噴射したりしている。複数の加工工具を固定したタレットを有するタレット旋盤においてもしかりである。
【０００３】
図５に示すように、従来のタレット旋盤１００は、前記空気や切削油等の流体を噴射するためのノズル１０１を、加工される被加工材１０２を固定する固定装置１０３側の装置本体部の壁面１０４に１つ取付けて、タレット１０５に固定した全ての加工工具１０６ａ、１０６ｂ、１０６ｃ、１０６ｄに対応していた。しかし最近では、各々の加工工具に対応して複数のノズルや噴射口が設けられているものがある。こうした装置においては、全てのノズルや噴射口から同時に流体が噴射されるわけではなく、加工中の加工工具に対応したノズルや噴射口のみから流体が噴射されるように、かつ適量が噴射されるようにプログラミングされ、電気的に制御されている。
【０００４】
こうしたタレット旋盤は当然に高価となり、従来の、空気や切削油等の流体を噴射するためのノズルや噴射口が加工される被加工材を固定する装置側に１つ取付けたタレット旋盤を容易に買い換えることはできない。
【特許文献１】特開２００４−２５４０３号公報
【特許文献２】特開２００６−２２４２４５号公報
【発明の開示】
【発明が解決しようとする課題】
【０００５】
本発明はこうした事実に鑑み、従来の、空気や切削油等の流体を噴射するためのノズルや噴射口が加工される被加工材を固定する装置側に１つ取付けたタレット旋盤等において、複数の加工工具を固定したタレットの各々の加工工具に、加工中の加工工具のみに空気や切削油等の流体を噴射できる流体供給装置を、簡単な構造で安価に装備できるタレットへの流体供給装置を提供するものである。
【課題を解決するための手段】
【０００６】
本発明は、
「１．複数の加工工具を固定したタレットの各々の加工工具の近傍に固定する、加工中の被加工材の加工切屑を除去するための空気や加工時の冷却や摩擦抑制のための切削油等の流体を噴射するためのノズルと、タレットに装着するための固定台座に、周側面に内外を貫通した前記加工工具と少なくとも同数以上の供給口を有した円筒状のハウジングを固定し、該ハウジング内に、少なくともハウジングの供給口を有した部分の内壁面に当接する当接面を有し、該当接面に内壁面と当接面から流体が漏れないようにシール材を配した当接部と、一方の端部にハウジングより外方に露出する小径軸部とを有し、該露出する小径軸部の端面に設けた流体供給源部と接続する中継パイプを接続するための受給口に一方を連通し、他方をハウジングに設けた供給口の各々に連通可能な当接部の周側面に開口した流体導出孔を１つ内部に設けた内部軸体を、小径軸部をハウジングより外方に露出して、ハウジングに対して回転可能に挿着し、ハウジングより露出した小径軸部に、内部軸体がハウジングの回転に連動して回転をすることのないように回転抑制手段を付設してなる装置本体部と、流体供給源部と、該流体供給源部と前記内部軸体の受給口とを接続する供給パイプと、前記各々のノズルとハウジングの各々の供給口とを接続する中継パイプとで構成し、タレットの回転にともないハウジングは回転するが、内部軸体は回転せずにハウジングの供給口を有した内壁面と内部軸体の当接部の当接面が回転方向に摺動し、被加工材に加工しようとする加工工具の近傍に固定したノズルに接続した接続パイプと接続したハウジングの供給口のみが内部軸体の流体導出孔と連通して流体を噴射可能としたことを特徴とする、タレットへの流体供給装置。
２．前記回転抑制手段が、内部軸体に吊下げた錘により構成されていることを特徴とする、前記１項に記載のタレットへの流体供給装置。
３．前記ノズルに接続した接続パイプに、ノズルからの流体の噴射量を調整可能な調整手段を介在したことを特徴とする、前記１項または２項に記載のタレットへの流体供給装置。」
である。
【０００７】
本発明において、ハウジング内部に該ハウジングに対して回転可能に挿着した内部軸体が、ハウジングの回転に連動して回転しないように、内部軸体に設けた回転抑制手段としては、内部軸体をタレット旋盤等の本体や固定された他の部材等にワイヤー等で繋いで、内部軸体が回転しないようにすることで手段とすることもできるが、タレットが刃物台テーブルとして移動するため、機構が複雑となる。内部軸体に錘を吊下げることにより内部軸体が回転しないようにした手段が、容易に付設できるし、機構も複雑とならず好ましい。
【０００８】
また、流体の噴射量を調整可能な調整手段としては、コックがある。
【発明の効果】
【０００９】
本発明の流体供給装置は前記したような構造なので、空気や切削油等の流体を噴射するためのノズルや噴射口が加工される被加工材を固定する装置側に１つ装備されたタレット旋盤に、容易に装備しすることができ、構造も簡単なので安価に装備することができるという利点がある。また、構造も簡単なのでメンテナンスも容易であるという利点がある。
【００１０】
請求項２に係る発明では、回転抑制手段を内部軸体に吊下げた錘を用いた構造なので、見た目も良く、容易に付設できるという利点がある。
【００１１】
請求項３に係る発明では、ノズルからの流体の噴射量を調整する調整手段を設けてあるので、加工工具に応じた適量の切削油や、加工工具による被加工材への加工中の切屑の状況に応じて適量の空気をを噴射することができる。
【発明を実施するための最良の形態】
【００１２】
本発明の流体供給装置は、前述したように、ノズル、装置本体部、流体供給源部、供給パイプおよび中継パイプとで構成されるが、装置本体部以外のノズル、流体供給源部、供給パイプおよび中継パイプは、特別な構造を有するものではなく従来からあるものを使用する。
【実施例】
【００１３】
本実施例を図面を用いて説明する。本実施例では、加工中の被加工材の加工切屑を除去するための空気を供給する装置として説明するが、流体が空気に限定されるものではない。なお、同じ部材を示す場合には、同じ符号を付してある。図１は、本実施例のタレットへの流体供給装置における装置本体部のみの、上側半分を断面とした側面図である。図２は、図１における装置本体部を上側から見た全体を断面した断面図である。図３は、図１におけるＡ−Ａ線部分の拡大横断面図である。 図４は、本実施例のタレットへの流体供給装置を装備したタレット旋盤の概略を示す図である。図５は、従来のタレット旋盤の概略を示す図である。
【００１４】
本実施例のタレットへの流体供給装置１は、図４に示すように、ノズル２、装置本体部３、空気供給源部４、供給パイプ５および中継パイプ６とで構成されるが、ノズル２、空気供給源部４、供給パイプ５および中継パイプ６は、従来からあるものをそのまま使用するので、装置本体部３について説明する。
【００１５】
装置本体部３は、図１〜図３に示すように、周側面に内外を貫通した複数の供給口３１を有し（図３を参照）、一方の端部に鍔部３２を設けた円筒状のハウジング３３を、タレット旋盤１００等のタレット１０５（図４を参照）に装着するための円形状の固定台座３４に、鍔部３２にボルト３５を配して固定してある。
【００１６】
ハウジング３３内には、該ハウジング３３の供給口３１を有する内壁面３３ａに当接する当接面３６を有し、該当接面３６に内壁面３３ａと当接面３６から流体が漏れないようにシール材３７を装着した当接部３８を有した内部軸体３９を、ハウジング３３に対して回転可能に、両端にボールベアリング４０を配して収納してある。鍔部３２側に配したボールベアリング４０は、ハウジング３３に凹部４１を形成し、そこにボルト４２で固定したリング状の座金４３を配して抜け出さないようにしてある。他方のボールベアリング４０も、ボルト４２で固定したリング状の座金４４を配して抜け出さないようにしてある。
【００１７】
内部軸体３９のハウジング３３の鍔部３２と反対側の端部には、小径軸部４５を設けてあり、ハウジング３３より突出している。小径軸部４５の端面４５ａには、雌ねじ部を設けた受給口４６を形成してあり、小径軸部４５の中央には前記受給口４６に連通した小径な第１の空気導出孔４７が設けてある。図２に示すように、前記第１の空気導出孔４７は、内部軸体３９の中央部まで延びており、中央部において直角に折れ曲がって当接部３８の当接面３６に貫通した第２の空気導出孔４８を１つ設けてあり、ハウジング３３に設けた供給口３１の１つと連通可能としてある。
【００１８】
内部軸体３９のハウジング３３および座金４４より突出した小径軸部４５には、下端に錘４９を挿着した回転抑制軸体５０を固着してある。これにより、ハウジング３３が回転しても内部軸体３９は回転することなく、常に内部軸体３９に設けた第２の空気導出孔４８が水平方向の同一の場所に位置するように留まる。
【００１９】
内部軸体３９の小径軸部４５の受給口４６に、空気供給源部４（図４を参照）に接続した中継パイプ６を途中ジョイント５１を介して、先端に雄ねじ部を有した固定先具５２に接続し、該固定先具５２を受給口４６の雌ねじ部に雄ねじ部を螺着して取り付けてある。
【００２０】
本実施例の流体供給装置１を使用するには、図４に示すように、従来のタレット旋盤１００のタレット１０５に固定台座３４をボルト５３（図１を参照）を介して、流体供給装置１を装着する。
【００２１】
タレット旋盤１００のタレット１０５に付設した加工工具１０６ａ、１０６ｂ、１０６ｃ、１０６ｄの近傍に、空気を噴射するためのノズル２ａ、２ｂ、２ｃ、２ｄを付設し、各ノズル２ａ、２ｂ、２ｃ、２ｄとハウジング３３に設けた各々の供給口３１とを供給パイプ５で接続する。図示していないが、各々の接続パイプの途中には各ノズル２ａ、２ｂ、２ｃ、２ｄからの空気の噴射量を調整可能な弁手段を設けてある。
【００２２】
本実施例の流体供給装置１を装着したタレット旋盤１００では、被加工材１０２を加工中に、タレット１０５を回転して使用する加工工具２を変えて加工する際に、流体供給装置１における装置本体部３の固定台座３４やハウジング３３は回転するが、内部軸体３９は回転せずに、常に、使用とする加工工具１０６に対応したハウジング３３の供給口３１のみが内部軸体３９の第２の空気導出口４８に連通し、空気供給源部４から供給される空気は中継パイプ６を通って、図２において矢印Ｐで示すように、固定先具５２から受給口４６へ流れ、第１の空気導出孔４７、第２の空気導出孔４８を通り、使用する加工工具に対応したノズルに接続した供給パイプ２に接続する供給口３１にのみ導出し、使用する加工工具に対応したノズルのみから空気が噴射する。空気の噴射量は、弁手段により調整可能となっている。
【産業上の利用可能性】
【００２３】
タレットに被加工材を加工するための複数の加工工具が付設され、加工中の被加工材の加工切屑を除去するために空気を噴射したり、あるいは加工の際の切削油を噴射したりするためのノズルや噴射口を１つ設けて、複数の加工工具に対応していた従来のタレット旋盤等において、本実施例の流体供給装置を装着することで、最新のタレット旋盤に見られるような、各々の加工工具に対応したノズルや噴射口を複数個設けた装置とすることが可能となる。
【図面の簡単な説明】
【００２４】
【図１】本実施例のタレットへの流体供給装置における装置本体部のみの、上側半分を断面とした側面図である。
【図２】図１における装置本体部を上側から見た全体を断面した断面図である。
【図３】図１におけるＡ−Ａ線部分の拡大横断面図である。
【図４】本実施例のタレットへの流体供給装置を装備したタレット旋盤の概略を示す図である。
【図５】従来のタレット旋盤の概略を示す図である。
【符号の説明】
【００２５】
１  流体供給装置
２  ノズル
３  装置本体部
４  空気供給源部
５  供給パイプ
６  中継パイプ
３１  供給口
３３  ハウジング
３４  固定台座
３６  当接面
３７  シール材
３８  当接部
３９  内部軸体
４５  小径軸体
４６  受給口
４７  第１の空気導出孔
４８  第２の空気導出孔
４９  錘
５０  回転抑制軸体
【図１】
2009107054.tif 000003
【図２】
2009107054.tif 000004
【図３】
2009107054.tif 000005
【図４】
2009107054.tif 000006
【図５】
2009107054.tif 000007